(57)【要約】【課題】外観を損なわずに建材を強固に取付けることができ、かつ、簡素な構造である建材固定金具を提供する。【解決手段】建材固定金具１の第１の固定部材２は、第１の片部４と第２の片部５と突出部６を有し、第１の片部４の一方の面に第１の凹凸部４Ａが形成されており、第２の片部５の、第１の片部４の第１の凹凸部４Ａが形成された面と同一平面内に位置する一方の面に第２の凹凸部５Ａが形成されている。建材固定金具１の第２の固定部材３は、第１の領域７と第２の領域８と第１の爪部９と第２の爪部１０を有する。第１の爪部９は、第１の凹凸部４Ａと係合可能であり、第２の爪部１０は、第２の凹凸部５Ａと係合可能である。第２の固定部材３の第１の支持部１３は、第１の領域７の第１の爪部９が突出した面との間に空間を形成しており、第２の固定部材３の第２の支持部１４は、第２の領域８の第２の爪部１０が突出した面との間に空間を形成している。【選択図】図１
2019199796.tif 000002
【特許請求の範囲】
【請求項１】
長手方向を有する第１の片部と、該第１の片部の長手方向と同じ方向に延びる長手方向を有する第２の片部と、前記第１の片部の一端及び同第１の片部の一端に対向する前記第２の片部の一端に取付けられた突出部とを有する第１の固定部材と、
長手方向を有する第１の領域と、該第１の領域の長手方向と同じ方向に延びる長手方向を有する第２の領域と、前記第１の領域の一方の面から突出した第１の係合部と、前記第２の領域の一方の面から前記第１の係合部と同じ方向へ突出した第２の係合部と、前記第１の領域と前記第２の領域の間に配置された中央領域と、該中央領域から前記第１の領域の長手方向と同じ方向に対して略直交する方向へ突出した第１の支持部と、前記中央領域から前記第２の領域の長手方向と同じ方向に対して略直交する方向へ突出した第２の支持部とを有する第２の固定部材とを備え、
前記第１の片部の一方の面に第１の凹凸部が形成されており、
前記第２の片部は、第１の片部の長手方向に対して略直交する方向に同第１の片部から離れて配置されており、
前記第１の片部の前記第１の凹凸部が形成された面と同一平面内に位置する、前記第２の片部の一方の面に第２の凹凸部が形成されており、
前記突出部は、前記第１の片部及び前記第２の片部それぞれの長手方向に対して略直交する方向に延びており、
前記突出部は、前記第１の凹凸部が形成された前記第１の片部の面及び前記第２の凹凸部が形成された前記第２の片部の面から離れる方向へ突出しており、
前記第２の領域は、前記第１の領域の長手方向に対して略直交する方向に同第１の領域から離れて配置されており、
前記第１の係合部は、前記第１の片部の一方向への移動を規制可能に前記第１の凹凸部と係合可能であり、
前記第２の係合部は、前記第２の片部の一方向への移動を規制可能に前記第２の凹凸部と係合可能であり、
前記中央領域は、前記第１の領域の長手方向及び前記第２の領域の長手方向と同じ方向に延びる長手方向を有しており、
前記中央領域は、前記第１の領域及び前記第２の領域それぞれに段差を介して接続されており、
前記第１の支持部は、前記第１の領域の前記第１の係合部が突出した面との間に空間を形成しており、
前記第２の支持部は、前記第２の領域の前記第２の係合部が突出した面との間に空間を形成した
建材固定金具。
【請求項２】
前記第１の固定部材は、前記突出部の、前記第１の片部及び前記第２の片部に取付けられた側とは反対側から、前記第１の領域の長手方向及び前記第２の領域の長手方向と同じ方向へ延出した延出部を有する
請求項１に記載の建材固定金具。
【請求項３】
前記第１の領域の長手方向に対して略直交する方向における前記第１の係合部の、前記第１の凹凸部と係合する部分と前記第２の領域の長手方向とを結ぶ線分と、前記第２の領域の長手方向に対して略直交する方向における前記第２の係合部の、前記第２の凹凸部と係合する部分と前記第１の領域の長手方向とを結ぶ線分とは互いに交わらない
請求項１または請求項２に記載の建材固定金具。
【請求項４】
前記第１の片部の長手方向に対して略直交する方向における前記第１の凹凸部の凹部と前記第２の片部の長手方向とを結ぶ線分と、前記第２の片部の長手方向に対して略直交する方向における前記第２の凹凸部の凹部と前記第１の片部の長手方向とを結ぶ線分とは互いに交わらない
請求項１、請求項２または請求項３に記載の建材固定金具。
【請求項５】
前記第１の係合部及び前記第２の係合部はそれぞれ、第１の領域及び第２の領域それぞれの面に形成されたスリットに隣接する領域が折り曲げられて突出した第１の爪部及び第２の爪部である
請求項１、請求項２、請求項３または請求項４に記載の建材固定金具。
【請求項６】
長手方向を有する第１の片部と、該第１の片部の長手方向と同じ方向に延びる長手方向を有する第２の片部と、前記第１の片部の一端及び同第１の片部の一端に対向する前記第２の片部の一端に取付けられた突出部とを有する第１の固定部材と、
長手方向を有する中央領域と、該中央領域の一方側に配置されていると共に同中央領域の長手方向と同じ方向に延びる第１の方向を有する第１の領域と、該第１の領域が配置された前記中央領域の一方側とは反対側である同中央領域の他方側に配置されていると共に同中央領域の長手方向と同じ方向に延びる第２の方向を有する第２の領域と、前記第１の領域の一方の面から突出した第１の係合部と、前記第２の領域の一方の面から前記第１の係合部と同じ方向へ突出した第２の係合部と、前記中央領域から前記第１の領域の第１の方向と同じ方向に対して略直交する方向へ突出した第１の支持部と、前記中央領域から前記第２の領域の第２の方向と同じ方向に対して略直交する方向へ突出した第２の支持部とを有する第２の固定部材とを備え、
前記第１の片部の一方の面に第１の凹凸部が形成されており、
前記第２の片部は、第１の片部の長手方向に対して略直交する方向に同第１の片部から離れて配置されており、
前記第１の片部の前記第１の凹凸部が形成された面と同一平面内に位置する、前記第２の片部の一方の面に第２の凹凸部が形成されており、
前記突出部は、前記第１の片部及び前記第２の片部それぞれの長手方向に対して略直交する方向に延びており、
前記突出部は、前記第１の凹凸部が形成された前記第１の片部の面及び前記第２の凹凸部が形成された前記第２の片部の面から離れる方向へ突出しており、
前記第２の領域は、前記第１の領域の第１の方向に対して略直交する方向に同第１の領域から離れて配置されており、
前記第１の係合部は、前記第１の片部の一方向への移動を規制可能に前記第１の凹凸部と係合可能であり、
前記第２の係合部は、前記第２の片部の一方向への移動を規制可能に前記第２の凹凸部と係合可能であり、
前記中央領域は、前記第１の領域及び前記第２の領域それぞれに段差を介して接続されており、
前記第１の支持部を前記第１の領域の第１の方向と同じ方向へ延長した平面の位置の方が、同第１の領域の前記第１の係合部が突出した面の位置よりも、前記中央領域を同第１の領域の第１の方向と同じ方向に対して略直交する方向へ延長した平面に近く、
前記第２の支持部を前記第２の領域の第２の方向と同じ方向へ延長した平面の位置の方が、同第２の領域の前記第２の係合部が突出した面の位置よりも、前記中央領域を同第２の領域の第２の方向と同じ方向に対して略直交する方向へ延長した平面に近い
建材固定金具。
【発明の詳細な説明】
【技術分野】
【０００１】
本発明は建材固定金具に関する。詳しくは、建材として例えば外壁材を固定するための建材固定金具に係るものである。
【背景技術】
【０００２】
木造住宅にとって、外壁は屋根と同じように生活空間を風雨から守るという大切な役割をもつ部分として知られている。
また、外壁には開口部と呼ばれる窓や出入口が加わるので、外部からの騒音の遮断や断熱など各種性能を有するものである必要がある。
【０００３】
また、外壁は屋根と同様あるいはそれ以上に建物の美観を左右する部位であり、建物の外観を飾って個性を出すために、窯業系サイディング、モルタル塗り壁、タイル、金属系サイディング及び軽量気泡コンクリート（ＡＬＣ）など様々な外壁材が建物の外壁に取付けられている。
【０００４】
また、外壁材は一般的に、建物の外壁面に取付けられた木下地や胴縁に、ビスや釘などで取付けられたり専用の金具で取付けられたりする。
そして、このような専用の金具として、従来、様々な金具が提案されている。
【０００５】
例えば特許文献１には、図９に示すような外壁材取付金具が記載されている。
すなわち、特許文献１に記載の外壁材取付金具１０１は、係合金具１０４と固定金具１０５を備える。
【０００６】
また、係合金具１０４の矩形板状の本体部１１２に、引掛部１０７と差込部１０８とが設けられている。
また、引掛部１０７は、本体部１１２の上端略中央部から突出した突出片１１３と、突出片１１３の先端から水平に設けられた水平片１１４と、水平片１１４の先端から垂下して突出片１１３と向き合うように設けられた引掛片１１５とを有する。
【０００７】
また、差込部１０８は、本体部１１２の両側縁に差込片１１６として設けられており、固定金具１０５と係合される。
また、差込部１０８には鋸歯状の突条１１０が形成されている。
【０００８】
また、固定金具１０５は、壁下地に固定され、係合金具１０４と係合されるものである。
また、固定金具１０５は、矩形板状の固定部１１７の両側縁から屋外側に延出された二箇所の延出片１１８を有し、延出片１１８にそれぞれ受け部１０９が設けられている。
【０００９】
また、固定部１１７には、釘やネジなどを挿入するための開孔１１９が形成されている。
また、各受け部１０９は、延出片１１８の先端から固定部１１７と平行かつ逆向きに設けられた第一受け片１２０と、第一受け片１２０の先端から屋外側に設けられた第二受け片１２１と、第二受け片１２１の先端から第一受け片１２０と向き合うように設けられた第三受け片１２２とを有する。
【００１０】
また、第一受け片１２０と第三受け片１２２の互いに向き合った面にはそれぞれ、係合金具１０４の差込部１０８に形成された鋸歯状の突条１１０と逆向きの鋸歯状の突条１１１が形成されている。
【先行技術文献】
【特許文献】
【００１１】
【特許文献１】特許第５３６８７６８号公報
【発明の概要】
【発明が解決しようとする課題】
【００１２】
しかしながら、特許文献１に記載の外壁材取付金具は、受け部の内側に突条が形成されているので受け部の加工工程が複雑であり、簡単な加工で得られる簡素な構造の金具が求められていた。
【００１３】
本発明は、以上の点に鑑みて創案されたものであり、外観を損なわずに建材を強固に取付けることができ、かつ、簡素な構造である建材固定金具を提供することを目的とする。
【課題を解決するための手段】
【００１４】
上記の目的を達成するために、本発明の建材固定金具は、長手方向を有する第１の片部と、該第１の片部の長手方向と同じ方向に延びる長手方向を有する第２の片部と、前記第１の片部の一端及び同第１の片部の一端に対向する前記第２の片部の一端に取付けられた突出部とを有する第１の固定部材と、長手方向を有する第１の領域と、該第１の領域の長手方向と同じ方向に延びる長手方向を有する第２の領域と、前記第１の領域の一方の面から突出した第１の係合部と、前記第２の領域の一方の面から前記第１の係合部と同じ方向へ突出した第２の係合部と、前記第１の領域と前記第２の領域の間に配置された中央領域と、該中央領域から前記第１の領域の長手方向と同じ方向に対して略直交する方向へ突出した第１の支持部と、前記中央領域から前記第２の領域の長手方向と同じ方向に対して略直交する方向へ突出した第２の支持部とを有する第２の固定部材とを備え、前記第１の片部の一方の面に第１の凹凸部が形成されており、前記第２の片部は、第１の片部の長手方向に対して略直交する方向に同第１の片部から離れて配置されており、前記第１の片部の前記第１の凹凸部が形成された面と同一平面内に位置する、前記第２の片部の一方の面に第２の凹凸部が形成されており、前記突出部は、前記第１の片部及び前記第２の片部それぞれの長手方向に対して略直交する方向に延びており、前記突出部は、前記第１の凹凸部が形成された前記第１の片部の面及び前記第２の凹凸部が形成された前記第２の片部の面から離れる方向へ突出しており、前記第２の領域は、前記第１の領域の長手方向に対して略直交する方向に同第１の領域から離れて配置されており、前記第１の係合部は、前記第１の片部の一方向への移動を規制可能に前記第１の凹凸部と係合可能であり、前記第２の係合部は、前記第２の片部の一方向への移動を規制可能に前記第２の凹凸部と係合可能であり、前記中央領域は、前記第１の領域の長手方向及び前記第２の領域の長手方向と同じ方向に延びる長手方向を有しており、前記中央領域は、前記第１の領域及び前記第２の領域それぞれに段差を介して接続されており、前記第１の支持部は、前記第１の領域の前記第１の係合部が突出した面との間に空間を形成しており、前記第２の支持部は、前記第２の領域の前記第２の係合部が突出した面との間に空間を形成した、建材固定金具である。
【００１５】
ここで、長手方向を有し、かつ、一方の面に第１の凹凸部が形成された第１の片部と、第１の領域の一方の面から突出し、かつ、第１の片部の一方向への移動を規制可能に第１の凹凸部と係合可能な第１の係合部、並びに第１の片部の長手方向に対して略直交する方向に第１の片部から離れて配置されており、かつ、第１の片部の長手方向と同じ方向に延びる長手方向を有し、かつ、第１の片部の第１の凹凸部が形成された面と同一平面内に位置する一方の面に第２の凹凸部が形成された第２の片部と、第２の領域の一方の面から第１の係合部と同じ方向へ突出し、かつ、第２の片部の一方向への移動を規制可能に第２の凹凸部と係合可能な第２の係合部によって、第１の固定部材が一方向への移動を規制されながら、第２の固定部材に対する第１の固定部材の位置を固定することができる。
【００１６】
また、中央領域から第１の領域の長手方向と同じ方向に対して略直交する方向へ突出しており、かつ、第１の領域の第１の係合部が突出した面との間に空間を形成した第１の支持部と、中央領域から第２の領域の長手方向と同じ方向に対して略直交する方向へ突出しており、かつ、第２の領域の第２の係合部が突出した面との間に空間を形成した第２の支持部とによって、第１の支持部と第１の領域の第１の係合部が突出した面との間及び第２の支持部と第２の領域の第２の係合部が突出した面との間それぞれに段差を利用して形成された空間に、第１の片部及び第２の片部を挿通して支持することができる。
【００１７】
さらに、第１の片部の一端及び第１の片部の一端に対向する第２の片部の一端に取付けられており、かつ、第１の片部及び第２の片部それぞれの長手方向に対して略直交する方向に延びており、かつ、第１の凹凸部が形成された第１の片部の面及び第２の凹凸部が形成された第２の片部の面から離れる方向へ突出した突出部によって、建材を押圧して建材を固定することができる。
【００１８】
また、本発明の建材固定金具において、第１の固定部材は、突出部の、第１の片部及び第２の片部に取付けられた側とは反対側から、第１の領域の長手方向及び第２の領域の長手方向と同じ方向へ延出した延出部を有する構成とすることができる。
【００１９】
この場合、建材の端部に形成された溝部などに延出部を嵌め込ませて建材を押圧することができるので、建材が建材固定金具から離れ難い。
【００２０】
また、本発明の建材固定金具において、第１の領域の長手方向に対して略直交する方向における第１の係合部の、第１の凹凸部と係合する部分と第２の領域の長手方向とを結ぶ線分と、第２の領域の長手方向に対して略直交する方向における第２の係合部の、第２の凹凸部と係合する部分と第１の領域の長手方向とを結ぶ線分とは互いに交わらない構成とすることができる。
すなわち、第１の係合部の、第１の凹凸部と係合する部分の位置と、第２の係合部の、第２の凹凸部と係合する部分の位置とが互いにずれている構成とすることができる。
【００２１】
この場合、第１の凹凸部の凹凸の数や第２の凹凸部の凹凸の数を増やすことなく建材を固定する位置の数が増え、固定位置を微調整できる。
【００２２】
また、本発明の建材固定金具において、第１の片部の長手方向に対して略直交する方向における第１の凹凸部の凹部と第２の片部の長手方向とを結ぶ線分と、第２の片部の長手方向に対して略直交する方向における第２の凹凸部の凹部と第１の片部の長手方向とを結ぶ線分とは互いに交わらない構成とすることができる。
すなわち、第１の凹凸部の凹部の位置と、第２の凹凸部の凹部の位置とが互いにずれている構成とすることができる。
【００２３】
ここで、第１の係合部の、第１の凹凸部と係合する部分の位置と第２の係合部の、第２の凹凸部と係合する部分の位置は互いにずれていないが、第１の凹凸部の凹部の位置と第２の凹凸部の凹部の位置は互いにずれている場合も、第１の凹凸部の凹凸の数や第２の凹凸部の凹凸の数を増やすことなく建材を固定する位置の数が増え、固定位置を微調整できる。
【００２４】
また、第１の係合部の、第１の凹凸部と係合する部分の位置と第２の係合部の、第２の凹凸部と係合する部分の位置が互いにずれているだけでなく、第１の凹凸部の凹部の位置と第２の凹凸部の凹部の位置も互いにずれている場合、第１の係合部と第２の係合部の両方がそれぞれ第１の凹凸部と第２の凹凸部に係合し、さらに固く固定することができる。
【００２５】
また、本発明の建材固定金具において、第１の係合部及び第２の係合部はそれぞれ、第１の領域及び第２の領域それぞれの面に形成されたスリットに隣接する領域が折り曲げられて突出した第１の爪部及び第２の爪部である構成とすることができる。
【００２６】
この場合、板ばねなどの部材を取付けることなく第２の固定部材の一部を利用して第１の係合部と第２の係合部を構成することができる。
【００２７】
また、上記の目的を達成するために、本発明の建材固定金具は、長手方向を有する第１の片部と、該第１の片部の長手方向と同じ方向に延びる長手方向を有する第２の片部と、前記第１の片部の一端及び同第１の片部の一端に対向する前記第２の片部の一端に取付けられた突出部とを有する第１の固定部材と、長手方向を有する中央領域と、該中央領域の一方側に配置されていると共に同中央領域の長手方向と同じ方向に延びる第１の方向を有する第１の領域と、該第１の領域が配置された前記中央領域の一方側とは反対側である同中央領域の他方側に配置されていると共に同中央領域の長手方向と同じ方向に延びる第２の方向を有する第２の領域と、前記第１の領域の一方の面から突出した第１の係合部と、前記第２の領域の一方の面から前記第１の係合部と同じ方向へ突出した第２の係合部と、前記中央領域から前記第１の領域の第１の方向と同じ方向に対して略直交する方向へ突出した第１の支持部と、前記中央領域から前記第２の領域の第２の方向と同じ方向に対して略直交する方向へ突出した第２の支持部とを有する第２の固定部材とを備え、前記第１の片部の一方の面に第１の凹凸部が形成されており、前記第２の片部は、第１の片部の長手方向に対して略直交する方向に同第１の片部から離れて配置されており、前記第１の片部の前記第１の凹凸部が形成された面と同一平面内に位置する、前記第２の片部の一方の面に第２の凹凸部が形成されており、前記突出部は、前記第１の片部及び前記第２の片部それぞれの長手方向に対して略直交する方向に延びており、前記突出部は、前記第１の凹凸部が形成された前記第１の片部の面及び前記第２の凹凸部が形成された前記第２の片部の面から離れる方向へ突出しており、前記第２の領域は、前記第１の領域の第１の方向に対して略直交する方向に同第１の領域から離れて配置されており、前記第１の係合部は、前記第１の片部の一方向への移動を規制可能に前記第１の凹凸部と係合可能であり、前記第２の係合部は、前記第２の片部の一方向への移動を規制可能に前記第２の凹凸部と係合可能であり、前記中央領域は、前記第１の領域及び前記第２の領域それぞれに段差を介して接続されており、前記第１の支持部を前記第１の領域の第１の方向と同じ方向へ延長した平面の位置の方が、同第１の領域の前記第１の係合部が突出した面の位置よりも、前記中央領域を同第１の領域の第１の方向と同じ方向に対して略直交する方向へ延長した平面に近く、前記第２の支持部を前記第２の領域の第２の方向と同じ方向へ延長した平面の位置の方が、同第２の領域の前記第２の係合部が突出した面の位置よりも、前記中央領域を同第２の領域の第２の方向と同じ方向に対して略直交する方向へ延長した平面に近い、建材固定金具である。
【００２８】
ここで、長手方向を有し、かつ、一方の面に第１の凹凸部が形成された第１の片部と、第１の領域の一方の面から突出し、かつ、第１の片部の一方向への移動を規制可能に第１の凹凸部と係合可能な第１の係合部、並びに第１の片部の長手方向に対して略直交する方向に第１の片部から離れて配置されており、かつ、第１の片部の長手方向と同じ方向に延びる長手方向を有し、かつ、第１の片部の第１の凹凸部が形成された面と同一平面内に位置する一方の面に第２の凹凸部が形成された第２の片部と、第２の領域の一方の面から第１の係合部と同じ方向へ突出し、かつ、第２の片部の一方向への移動を規制可能に第２の凹凸部と係合可能な第２の係合部によって、第１の固定部材が一方向への移動を規制されながら、第２の固定部材に対する第１の固定部材の位置を固定することができる。
【００２９】
また、中央領域から第１の領域の第１の方向と同じ方向に対して略直交する方向へ突出した第１の支持部を第１の領域の第１の方向と同じ方向へ延長した平面の位置の方が、第１の領域の第１の係合部が突出した面の位置よりも、中央領域を第１の領域の第１の方向と同じ方向に対して略直交する方向へ延長した平面に近く、そして、中央領域から第２の領域の第２の方向と同じ方向に対して略直交する方向へ突出した第２の支持部を第２の領域の第２の方向と同じ方向へ延長した平面の位置の方が、第２の領域の第２の係合部が突出した面の位置よりも、中央領域を第２の領域の第２の方向と同じ方向に対して略直交する方向へ延長した平面に近いことによって、以下の作用を奏する。
【００３０】
すなわち、このような位置関係は、第１の支持部を第１の領域の第１の方向と同じ方向へ延長した平面と第１の領域の第１の係合部が突出した面が互いに交わらない平行関係であるから、第１の支持部を第１の領域の第１の方向と同じ方向へ延長した平面と第１の領域の第１の係合部が突出した面との間には、段差を利用して形成された空間が存在し、この空間に第１の片部を挿通して、第１の支持部が第１の片部を支持することができる。
【００３１】
また、同じように、第２の支持部を第２の領域の第２の方向と同じ方向へ延長した平面と第２の領域の第２の係合部が突出した面は互いに交わらない平行関係にあるから、第２の支持部を第２の領域の第２の方向と同じ方向へ延長した平面と第２の領域の第２の係合部が突出した面との間にも空間が存在し、この空間に第２の片部を挿通して、第２の支持部が第２の片部を支持することができる。
【００３２】
また、第１の片部の一端及び第１の片部の一端に対向する第２の片部の一端に取付けられており、かつ、第１の片部及び第２の片部それぞれの長手方向に対して略直交する方向に延びており、かつ、第１の凹凸部が形成された第１の片部の面及び第２の凹凸部が形成された第２の片部の面から離れる方向へ突出した突出部によって、建材を押圧して建材を固定することができる。
【発明の効果】
【００３３】
本発明に係る建材固定金具は、簡素な構造であり、外観を損なわずに建材を強固に取付けることができる。
【図面の簡単な説明】
【００３４】
【図１】本発明を適用した建材固定金具の一例を示す概略図である。
【図２】本発明を適用した建材固定金具の第２の固定部材の概略正面図である。
【図３】本発明を適用した建材固定金具の第２の固定部材の概略底面図（ａ）と、本発明を適用した建材固定金具の第１の固定部材の概略平面図（ｂ）である。
【図４】図１に示す本発明を適用した建材固定金具を使用して外壁材を固定した態様の一例を示す概略断面図である。
【図５】図１に示す本発明を適用した建材固定金具を使用して外壁材を固定した態様の他の例を示す概略断面図である。
【図６】本発明を適用した建材固定金具の別の例を示す概略図である。
【図７】図６に示す本発明を適用した建材固定金具の第２の固定部材の概略正面図である。
【図８】図６に示す本発明を適用した建材固定金具の第２の固定部材の概略底面図（ａ）と、図６に示す本発明を適用した建材固定金具の第１の固定部材の概略平面図（ｂ）である。
【図９】従来の外壁材取付金具を示す概略図である。
【発明を実施するための形態】
【００３５】
以下、本発明の実施の形態について図面を参照しながら説明し、本発明の理解に供する。
図１は、本発明を適用した建材固定金具の一例を示す概略図である。また、図２は、本発明を適用した建材固定金具の第２の固定部材の概略正面図である。また、図３（ａ）は、本発明を適用した建材固定金具の第２の固定部材の概略底面図であり、図３（ｂ）は、本発明を適用した建材固定金具の第１の固定部材の概略平面図である。
【００３６】
図１に示す本発明の建材固定金具１は、第１の固定部材２と、第２の固定部材３とを備える。
ここで、第１の固定部材２は第１の片部４を有し、第１の片部４は長手方向を有し、かつ、一方の面に第１の凹凸部４Ａが形成されている。
【００３７】
また、第１の固定部材２は、第２の片部５を有する。
ここで、第２の片部５は、第１の片部４の長手方向に対して略直交する方向に第１の片部４から離れて配置されており、かつ、第１の片部４の長手方向と同じ方向に延びる長手方向を有し、かつ、第１の片部４の第１の凹凸部４Ａが形成された面と同一平面内に位置する一方の面に第２の凹凸部５Ａが形成されている。
【００３８】
また、第１の固定部材２は、突出部６を有する。
ここで、突出部６は、第１の片部４の一端及び第１の片部４の一端に対向する第２の片部５の一端に取付けられており、かつ、第１の片部４及び第２の片部５それぞれの長手方向に対して略直交する方向に延びており、かつ、第１の凹凸部４Ａが形成された第１の片部４の面及び第２の凹凸部５Ａが形成された第２の片部５の面から離れる方向へ突出している。
【００３９】
また、第２の固定部材３は、長手方向を有する第１の領域７を有する。
【００４０】
また、第２の固定部材３は、第２の領域８を有する。
ここで、第２の領域８は、第１の領域７の長手方向に対して略直交する方向に第１の領域７から離れて配置されており、かつ、第１の領域７の長手方向と同じ方向に延びる長手方向を有する。
【００４１】
また、第２の固定部材３は、第１の係合部すなわち第１の爪部９を有する。
ここで、第１の爪部９は、第１の領域７の一方の面から突出し、かつ、第１の片部４の一方向への移動を規制可能に第１の凹凸部４Ａと係合可能である。
また、第１の爪部９は、第１の領域７の面に形成された第１のスリット９Ａに隣接する領域が折り曲げられて突出したものである。
【００４２】
また、第２の固定部材３は、第２の係合部すなわち第２の爪部１０を有する。
ここで、第２の爪部１０は、第２の領域８の一方の面から第１の爪部９と同じ方向へ突出し、かつ、第２の片部５の一方向への移動を規制可能に第２の凹凸部５Ａと係合可能である。
【００４３】
また、第２の爪部１０は、第２の領域８の面に形成された第２のスリット１０Ａに隣接する領域が折り曲げられて突出したものである。
従って、図２に示すように第２の固定部材３を正面から見たときに、第１の爪部９の一部と第２の爪部１０の一部が見える。
【００４４】
図に示すように、第１のスリット９Ａ及び第２のスリット１０Ａはそれぞれ略Ｕ字状に形成されている。従って、第１の爪部９及び第２の爪部１０はそれぞれ、第１の領域７及び第２の領域８それぞれと一部を共有する半島形状を有する。
【００４５】
また、第１の領域７の長手方向に対して略直交する方向における第１の爪部９の、第１の凹凸部４Ａと係合する部分すなわち第１の爪部９の先端部と第２の領域８の長手方向とを結ぶ線分と、第２の領域８の長手方向に対して略直交する方向における第２の爪部１０の、第２の凹凸部５Ａと係合する部分すなわち第２の爪部１０の先端部と第１の領域７の長手方向とを結ぶ線分とは互いに交わらない。
【００４６】
すなわち、図３（ａ）に示すように、第１の爪部９の先端部と第２の領域８の長手方向とを結ぶ線分である第１の爪部線分２１と、第２の爪部１０の先端部と第１の領域７の長手方向とを結ぶ線分である第２の爪部線分２２とは互いに交わらない。
【００４７】
また、図に示す第１の固定部材２及び第２の固定部材３はそれぞれ、別の部材を取付けることなく、１枚の金属板を加工して得られたものである。
【００４８】
また、図１や図３（ｂ）に示された、第１の片部４及び第２の片部５それぞれの長手方向に対して略直交する方向に、第１の片部４上及び第２の片部５上において延びた線は第１の凹凸部４Ａの凹部及び第２の凹凸部５Ａの凹部を示す。
【００４９】
また、第１の片部４の長手方向に対して略直交する方向における第１の凹凸部４Ａの凹部と第２の片部５の長手方向とを結ぶ線分と、第２の片部５の長手方向に対して略直交する方向における第２の凹凸部５Ａの凹部と第１の片部４の長手方向とを結ぶ線分とは互いに交わらない。
【００５０】
すなわち、図３（ｂ）に示すように、第１の片部４の長手方向に対して略直交する方向における第１の凹凸部４Ａの凹部と第２の片部５の長手方向とを結ぶ線分である第１の凹凸部線分２３と、第２の片部５の長手方向に対して略直交する方向における第２の凹凸部５Ａの凹部と第１の片部４の長手方向とを結ぶ線分である第２の凹凸部線分２４とは互いに交わらない。
【００５１】
また、第２の固定部材３は、中央領域１２を有する。
ここで、中央領域１２は、第１の領域７と第２の領域８の間に配置されており、かつ、第１の領域７の長手方向及び第２の領域８の長手方向と同じ方向に延びる長手方向を有し、かつ、第１の領域７及び第２の領域８それぞれに段差を介して接続されている。
【００５２】
すなわち、中央領域１２は第１の段差１１Ａを介して第１の領域７と接続されており、中央領域１２は第２の段差１１Ｂを介して第２の領域８と接続されている。
また、第１の段差１１Ａと第２の段差１１Ｂは互いに対向している。
【００５３】
また、図２に示すように、第１の領域７の、中央領域１２と接続された側とは反対側から、第１の段差１１Ａと対向する第１の壁部７Ａが突出している。
また、図２に示すように、第２の領域８の、中央領域１２と接続された側とは反対側から、第２の段差１１Ｂと対向する第２の壁部８Ａが突出している。
【００５４】
また、第２の固定部材３は、第１の支持部１３を有する。
ここで、第１の支持部１３は、中央領域１２から第１の領域７の長手方向と同じ方向に対して略直交する方向へ突出しており、かつ、第１の領域７の第１の爪部９が突出した面との間に、図２に示すように空間を形成している。
すなわち、第１の支持部１３は、第１の領域７の第１の爪部９が突出した面に対して略平行に突出している。
【００５５】
また、第２の固定部材３は、第２の支持部１４を有する。
ここで、第２の支持部１４は、中央領域１２から第２の領域８の長手方向と同じ方向に対して略直交する方向へ突出しており、かつ、第２の領域８の第２の爪部１０が突出した面との間に、図２に示すように空間を形成している。
すなわち、第２の支持部１４は、第２の領域８の第２の爪部１０が突出した面に対して略平行に突出している。
【００５６】
すなわち、図２に示すように、第１の領域７と、第１の壁部７Ａと、第１の段差１１Ａの３方向から囲まれた箇所であり、かつ、第１の支持部１３と第１の支持部１３に対向する第１の領域７の面との間に、空間を形成しており、この空間に第１の片部４が挿通される。
【００５７】
また、図２に示すように、第２の領域８と、第２の壁部８Ａと、第２の段差１１Ｂの３方向から囲まれた箇所であり、かつ、第２の支持部１４と第２の支持部１４に対向する第２の領域８の面との間に、空間を形成しており、この空間に第２の片部５が挿通される。
【００５８】
また、第１の支持部１３は第１の領域７の一部を打ち抜いて形成され、第２の支持部１４は第２の領域８の一部を打ち抜いて形成されている。
従って、図３に示すように第１の支持部１３の周囲には、第１の領域７の一方の面と、この一方の面に対向する他方の面との間を貫通した第１の貫通孔１３Ａが形成されており、第２の支持部１４の周囲には、第２の領域８の一方の面と、この一方の面に対向する他方の面との間を貫通した第２の貫通孔１４Ａが形成されている。
【００５９】
なお、第１の支持部１３に対向する第１の領域７の面には第１の貫通孔１３Ａが形成されており、また、第２の支持部１４に対向する第２の領域８の面には第２の貫通孔１４Ａが形成されているが、第１の領域７の他の面及び第２の領域８の他の面と同一面内に位置していることから、「第１の支持部１３と第１の支持部１３に対向する第１の領域７の面との間」並びに「第２の支持部１４と第２の支持部１４に対向する第２の領域８の面との間」というように表現している。
【００６０】
また、第１の壁部７Ａと第１の段差１１Ａとの間の距離は、第１の片部４の短手方向の長さより僅かに長い値であり、また、第２の壁部８Ａと第２の段差１１Ｂとの間の距離は、第２の片部５の短手方向の長さより僅かに長い値である。
【００６１】
従って、第１の壁部７Ａと第１の段差１１Ａ、並びに第２の壁部８Ａと第２の段差１１Ｂがガイド機能を発揮して、それぞれ第１の片部４及び第２の片部５を導くことができるので、第１の支持部１３が、第１の領域７の第１の爪部９が突出した面との間に形成した空間、並びに第２の支持部１４が、第２の領域８の第２の爪部１０が突出した面との間に形成した空間それぞれに、第１の片部４及び第２の片部５を挿通し易い。
【００６２】
また、図３に示すように中央領域１２には、中央領域１２の一方の面と、この一方の面に対向する他方の面との間を貫通した取付孔１５が形成されている。
【００６３】
また、第１の固定部材２は、延出部１６を有する。
ここで、延出部１６は、突出部６の、第１の片部４及び第２の片部５に取付けられた側とは反対側から、第１の領域７の長手方向及び第２の領域８の長手方向と同じ方向へ延出したものである。
【００６４】
また、延出部１６の一方の面と、この一方の面に対向する他方の面との間を貫通した引掛孔１６Ａが形成されている。
この引掛孔１６Ａは、作業者が例えばドライバーを引掛けるための孔である。
【００６５】
本発明の建材固定金具において、第１の固定部材は、必ずしも延出部を有していなくてもよい。
しかし、第１の固定部材が延出部を有していれば、建材の上端に形成された溝部などに延出部を嵌め込ませて建材を押圧することができ、建材が建材固定金具から離れ難いので好ましい。
【００６６】
また、本発明の建材固定金具において、必ずしも第１の爪部線分と第２の爪部線分とは互いに交わらない構成としなくてもよい。
すなわち、第１の領域の長手方向に対して略直交する方向における第１の爪部すなわち第１の係合部の、第１の凹凸部と係合する部分すなわち第１の爪部の先端部と第２の領域の長手方向とを結ぶ線分と、第２の領域の長手方向に対して略直交する方向における第２の爪部すなわち第２の係合部の、第２の凹凸部と係合する部分すなわち第２の爪部の先端部と第１の領域の長手方向とを結ぶ線分とは、必ずしも互いに交わらない構成としなくてもよい。
【００６７】
しかし、第１の爪部線分と第２の爪部線分とが互いに交わらない構成とすることで、第１の凹凸部の凹凸の数や第２の凹凸部の凹凸の数を増やすことなく建材を固定する位置の数が増え、固定位置を微調整できるので好ましい。
【００６８】
また、本発明の建材固定金具において、必ずしも第１の凹凸部線分と第２の凹凸部線分とは互いに交わらない構成としなくてもよい。
すなわち、第１の片部の長手方向に対して略直交する方向における第１の凹凸部の凹部と第２の片部の長手方向とを結ぶ線分と、第２の片部の長手方向に対して略直交する方向における第２の凹凸部の凹部と第１の片部の長手方向とを結ぶ線分とは、必ずしも互いに交わらない構成としなくてもよい。
【００６９】
しかし、第１の爪部線分と第２の爪部線分とが互いに交わらない構成とすることに加えて、第１の凹凸部線分と第２の凹凸部線分とが互いに交わらない構成とすることで、第１の爪部の先端部の位置と第２の爪部の先端部の位置が互いにずれているだけでなく、第１の凹凸部の凹部の位置と第２の凹凸部の凹部の位置も互いにずれているので、第１の係合部と第２の係合部の両方がそれぞれ第１の凹凸部と第２の凹凸部に係合し、さらに固く固定することができるので好ましい。
【００７０】
また、第１の爪部の先端部の位置と第２の爪部の先端部の位置は互いにずれていないと共に、第１の凹凸部の凹部の位置と第２の凹凸部の凹部の位置も互いにずれていない構成とすることができることは勿論である。
【００７１】
また、第１の爪部の先端部の位置と第２の爪部の先端部の位置は互いにずれているが、第１の凹凸部の凹部の位置と第２の凹凸部の凹部の位置は互いにずれていない構成とすることもできることは勿論である。
【００７２】
一方、第１の爪部の先端部の位置と第２の爪部の先端部の位置は互いにずれていないが、第１の凹凸部の凹部の位置と第２の凹凸部の凹部の位置は互いにずれている構成とすることもできることは勿論である。
【００７３】
また、本発明の建材固定金具において、必ずしも第１の係合部及び第２の係合部はそれぞれ、第１の領域及び第２の領域それぞれの面に形成された第１のスリット及び第２のスリットに隣接する領域が折り曲げられて突出した第１の爪部及び第２の爪部である構成としなくてもよい。
【００７４】
しかし、第１の係合部及び第２の係合部がそれぞれ、このような第１の爪部及び第２の爪部であれば、板ばねなどの部材を取付けることなく第２の固定部材の一部を利用して第１の係合部と第２の係合部を構成することができるので好ましい。
【００７５】
次に、本発明の建材固定金具を使用して外壁材を固定する流れを説明する。
図４は、図１に示す本発明を適用した建材固定金具を使用して外壁材を固定した態様の一例を示す概略断面図である。
【００７６】
窓枠３２が形成された建物の壁面３４には、水平方向に略等間隔で胴縁３３が取付けられており、胴縁３３の鉛直方向下側から鉛直方向上側へ向けて、水平方向に延びる複数の第１の外壁材３１Ａが配置されている。
【００７７】
また、窓枠３２付近の第２の外壁材３１Ｂは第１の外壁材３１Ａと異なり、窓枠３２に当たってしまう箇所が一部切り取られて凹部が形成されている。
【００７８】
図４では、窓枠３２の鉛直方向下方に第２の外壁材３１Ｂの凹部が配置されており、第２の外壁材３１Ｂの凹部の、窓枠３２に向いた面には図４に示すように溝部３６が形成されている。
【００７９】
また、第２の外壁材３１Ｂの、溝部３６が形成された面とは反対側の面に切欠き２９が形成されている。
また、第１の外壁材３１Ａの、第２の外壁材３１Ｂに向いた面には段差が形成されており、図示していないが第１の外壁材３１Ａの、段差が形成された面とは反対側の面には、第２の外壁材３１Ｂと同様に切欠きが形成されている。
【００８０】
また、第２の外壁材３１Ｂを固定する前に、本発明の建材固定金具１を胴縁３３に取付ける。
すなわち、本発明の建材固定金具１を胴縁３３に当接させた状態で、本発明の建材固定金具１の第２の固定部材３の中央領域１２に形成された取付孔１５に取付釘３７を挿通して、取付釘３７を胴縁３３に打ち込む。
【００８１】
このとき、第１の固定部材２の第１の片部４及び第２の片部５を、第２の固定部材３と胴縁３３との間に挿し込んでおき、この状態で取付孔１５に取付釘３７を挿通して、取付釘３７を胴縁３３に打ち込む。
【００８２】
次に、第２の外壁材３１Ｂの凹部が窓枠３２の鉛直方向下方に配置されるよう、第２の外壁材３１Ｂを本発明の建材固定金具１に当接させる。
【００８３】
また、図４に示すように、第１の外壁材３１Ａと第２の外壁材３１Ｂとの間に取付金具３０の一部を配置する。
ここで、取付金具３０は、平面形状の本体３０Ａと、本体３０Ａに突起して取付けられた断面略Ｙ字形状の突起３０Ｂとを備える。
【００８４】
すなわち、段差が形成された第１の外壁材３１Ａの面と、切欠き２９が形成された第２の外壁材３１Ｂの面とを当接させた際に形成された空間内に、断面略Ｙ字形状の突起３０Ｂを配置した状態で本体３０Ａをビス３５によって胴縁３３に取付ける。
【００８５】
また、図示していないが、第１の外壁材３１Ａ同士も、取付金具３０を用いて同様に連結する。
【００８６】
さらに、第１の固定部材２の突出部６を第２の固定部材３に近づける、すなわち第１の固定部材２の突出部６を第２の外壁材３１Ｂに近づけて、第１の固定部材２の延出部１６を溝部３６に挿入すると共に突出部６を第２の外壁材３１Ｂに接触させ、突出部６及び延出部１６が第２の外壁材３１Ｂを第１の外壁材３１Ａの方へ押す。
これによって第２の外壁材３１Ｂが第１の外壁材３１Ａに押し付けられ、窓枠３２の鉛直方向下方に配置された第２の外壁材３１Ｂの箇所を固定する。
【００８７】
従って、第２の外壁材３１Ｂの表面からビスまたは釘を使用することなく第２の外壁材３１Ｂを固定することができる。
【００８８】
このとき、第１の爪部９の先端部は第１の片部４に形成された第１の凹凸部４Ａの凹部に係合しており、図示していないが第２の爪部の先端部は第２の片部に形成された第２の凹凸部の凹部に係合している。
【００８９】
また、第１の支持部１３と第１の支持部１３に対向する第１の領域７の面との間の空間に、第１の片部４が挿通されている。
【００９０】
また、第１の爪部９は、第１の固定部材２の突出部６が第２の固定部材３から離れる方向すなわち、図４に示す窓枠３２へ近づく方向への第１の片部４の移動を規制可能に、第１の凹凸部４Ａの凹部に係合している。
すなわち、第１の片部４が窓枠３２へ近づく方向へ移動しようとしても、折り曲げられて突出した第１の爪部９はそれ以上曲がらないので、第１の爪部９が引っ掛かって第１の片部４は窓枠３２へ近づく方向へ移動することができない。
【００９１】
一方、第１の固定部材２の突出部６が第２の固定部材３に近づく方向すなわち、図４に示す窓枠３２から離れる方向へ第１の片部４が移動すると、折り曲げられて突出した第１の爪部９は折り曲げられる前の元の状態へ戻ることはできるので、第１の爪部９は引っ掛からず第１の片部４は窓枠３２から離れる方向へ移動することができる。
【００９２】
また、第２の爪部も第１の爪部９と同様に、窓枠３２へ近づく方向への第２の片部の移動を規制可能に、第２の凹凸部の凹部に係合している。
すなわち、第２の爪部が引っ掛かって第２の片部は窓枠３２へ近づく方向へ移動することができず、一方、第２の爪部は引っ掛からず第２の片部は窓枠３２から離れる方向へ移動することができる。
【００９３】
また、図示していないが、第２の支持部と第２の支持部に対向する第２の領域の面との間の空間に、第２の片部が挿通されている。
【００９４】
従って、第１の外壁材３１Ａへの第２の外壁材３１Ｂの押し付けが緩み難く、第２の外壁材３１Ｂを強固に固定することができる。
【００９５】
図５は、図１に示す本発明を適用した建材固定金具を使用して外壁材を固定した態様の他の例を示す概略断面図である。
【００９６】
建物の屋根３８は建物の壁面３４よりも張り出た形になっている。この張り出た部分を「軒」と呼んでいるが、火災時に窓から上がった炎が屋根裏まで一気に延焼しないよう、張り出した部分に軒天材４０が取付けられている。
また、図５に示すように、垂木の先端を隠すために水平の横板である鼻隠し材３９が軒先に取付けられている。
【００９７】
図４に示す例と同様に、建物の壁面３４には軒天材４０に到達するまで延びた胴縁３３が取付けられており、胴縁３３の鉛直方向下側から鉛直方向上側へ向けて、水平方向に延びる複数の第１の外壁材４１Ａが配置されている。
【００９８】
また、軒天材４０付近の第２の外壁材４１Ｂは、窓枠３２付近の第２の外壁材３１Ｂとは異なり、一部が切り取られた凹部は形成されていない。
【００９９】
また、第２の外壁材４１Ｂの、軒天材４０に向いた面には図５に示すように溝部４２が形成されている。
【０１００】
また、第２の外壁材４１Ｂの、溝部４２が形成された面とは反対側の面に切欠き４３が形成されている。
また、第１の外壁材４１Ａの、第２の外壁材４１Ｂに向いた面には段差が形成されており、図示していないが第１の外壁材４１Ａの、段差が形成された面とは反対側の面には、第２の外壁材４１Ｂと同様に切欠きが形成されている。
【０１０１】
また、第２の外壁材４１Ｂを固定する前に、図４に示す例と同様に取付釘３７を用いて本発明の建材固定金具１を胴縁３３に取付ける。
【０１０２】
また、図５に示すように、第１の外壁材４１Ａと第２の外壁材４１Ｂとの間に取付金具３０の一部を配置する。
すなわち、段差が形成された第１の外壁材４１Ａの面と、切欠き４３が形成された第２の外壁材４１Ｂの面とを当接させた際に形成された空間内に、断面Ｙ字形状の突起３０Ｂを配置した状態で本体３０Ａをビス３５によって胴縁３３に取付ける。
【０１０３】
また、図示していないが、第１の外壁材４１Ａ同士も、取付金具３０を用いて同様に連結する。
【０１０４】
次に、第１の固定部材２の突出部６を第２の固定部材３に近づける、すなわち第１の固定部材２の突出部６を第２の外壁材４１Ｂに近づけて、第１の固定部材２の延出部１６を溝部４２に挿入すると共に突出部６を第２の外壁材４１Ｂに接触させ、突出部６及び延出部１６が第２の外壁材４１Ｂを第１の外壁材４１Ａの方へ押す。
これによって第２の外壁材４１Ｂが第１の外壁材４１Ａに押し付けられ、軒天材４０付近に配置された第２の外壁材４１Ｂを固定する。
【０１０５】
従って、第２の外壁材４１Ｂの表面からビスまたは釘を使用することなく第２の外壁材４１Ｂを固定することができる。
このとき、図４に示す例と同様に第１の爪部及び第２の爪部はそれぞれ、第１の凹凸部の凹部及び第２の凹凸部の凹部に係合している。
また、このとき図４に示す例と同様に、第１の片部が第１の支持部と第１の領域の面との間の空間に挿通されており、また、第２の片部が第２の支持部と第２の領域の面との間の空間に挿通されている。
【０１０６】
従って、第１の外壁材４１Ａへの第２の外壁材４１Ｂの押し付けが緩み難く、第２の外壁材４１Ｂを強固に固定することができる。
【０１０７】
図６は、本発明を適用した建材固定金具の別の例を示す概略図である。また、図７は、図６に示す本発明を適用した建材固定金具の第２の固定部材の概略正面図である。また、図８は、図６に示す本発明を適用した建材固定金具の第２の固定部材の概略底面図（ａ）と、図６に示す本発明を適用した建材固定金具の第１の固定部材の概略平面図（ｂ）である。
【０１０８】
図６に示す本発明の建材固定金具５１は、第１の固定部材５２と、第２の固定部材５３とを備える。
【０１０９】
ここで、第１の固定部材５２は第１の片部５４を有し、第１の片部５４の一方の面に第１の凹凸部５４Ａが形成されている。
また、第１の固定部材５２は第２の片部５５を有し、第２の片部５５の一方の面に第２の凹凸部５５Ａが形成されている。
また、第１の固定部材５２は突出部５６を有する。
【０１１０】
なお、第１の固定部材５２の構成は、図１に示す本発明の建材固定金具１の第１の固定部材２の構成と同じであるから、第１の固定部材５２の詳細な説明は省略する。
【０１１１】
また、第２の固定部材５３は、長手方向を有する中央領域５７を有する。
【０１１２】
また、第２の固定部材５３は、第１の領域５８を有する。
ここで、第１の領域５８は、中央領域５７の一方側に配置されていると共に中央領域５７の長手方向と同じ方向に延びる第１の方向を有する。
【０１１３】
また、第２の固定部材５３は、第２の領域５９を有する。
ここで、第２の領域５９は、第１の領域５８が配置された中央領域５７の一方側とは反対側である中央領域５７の他方側に配置されていると共に中央領域５７の長手方向と同じ方向に延びる第２の方向を有する。
【０１１４】
また、第２の領域５９は、第１の領域５８の第１の方向に対して略直交する方向に第１の領域５８から離れて配置されている。
【０１１５】
また、第２の固定部材５３は、第１の係合部すなわち第１の爪部６０を有する。
ここで、第１の爪部６０は、第１の領域５８の一方の面から突出しており、かつ、第１の片部５４の一方向への移動を規制可能に第１の凹凸部５４Ａと係合可能である。
また、第１の爪部６０は、第１の領域５８の面に形成された第１のスリット６０Ａに隣接する領域が折り曲げられて突出したものである。
【０１１６】
また、第２の固定部材５３は、第２の係合部すなわち第２の爪部６１を有する。
ここで、第２の爪部６１は、第２の領域の一方の面から第１の爪部６０と同じ方向へ突出しており、かつ、第２の片部５５の位置方向への移動を規制可能に第２の凹凸部５５Ａと係合可能である。
【０１１７】
また、第２の爪部６１は、第２の領域５９の面に形成された第２のスリット６１Ａに隣接する領域が折り曲げられて突出したものである。
従って、図７に示すように第２の固定部材５３を正面から見たときに、第１の爪部６０の一部と第２の爪部６１の一部が見える。
【０１１８】
また、第１の爪部６０及び第２の爪部６１はそれぞれ、第１の領域５８及び第２の領域５９それぞれと一部を共有する半島形状を有する。
【０１１９】
また、第１の領域５８の第１の方向に対して略直交する方向における第１の爪部６０の、第１の凹凸部５４Ａと係合する部分すなわち第１の爪部６０の先端部と第２の領域５９の第２の方向とを結ぶ線分と、第２の領域５９の第２の方向に対して略直交する方向における第２の爪部６１の、第２の凹凸部５５Ａと係合する部分すなわち第２の爪部６１の先端部と第１の領域５８の第１の方向とを結ぶ線分とは互いに交わらない。
【０１２０】
すなわち、図８（ａ）に示すように、第１の爪部６０の先端部と第２の領域５９の第２の方向とを結ぶ線分である第１の爪部線分７１と、第２の爪部６１の先端部と第１の領域５８の第１の方向とを結ぶ線分である第２の爪部線分７２とは互いに交わらない。
【０１２１】
また、図に示す第１の固定部材５２及び第２の固定部材５３はそれぞれ、別の部材を取付けることなく、１枚の金属板を加工して得られたものである。
【０１２２】
また、図６や図８（ｂ）に示された、第１の片部５４及び第２の片部５５それぞれの長手方向に対して略直交する方向に、第１の片部５４上及び第２の片部５５上において延びた線は、第１の凹凸部５４Ａの凹部及び第２の凹凸部５５Ａの凹部を示す。
【０１２３】
また、中央領域５７は、第１の領域５８及び第２の領域５９それぞれに段差を介して接続されている。
すなわち、中央領域５７は第１の段差６２Ａを介して第１の領域５８と接続されており、また、中央領域５７は第２の段差６２Ｂを介して第２の領域５９と接続されている。
ここで、第１の段差６２Ａと第２の段差６２Ｂは互いに対向している。
【０１２４】
また、図７に示すように、第１の領域５８の、中央領域５７と接続された側とは反対側から、第１の段差６２Ａと対向する第１の壁部５８Ａが突出している。
また、図７に示すように、第２の領域５９の、中央領域５７と接続された側とは反対側から、第２の段差６２Ｂと対向する第２の壁部５９Ａが突出している。
【０１２５】
また、中央領域５７の長手方向の長さは、第１の領域５８の第１の方向の長さ及び第２の領域５９の第２の方向の長さよりも長い。
すなわち、図６に示すように中央領域５７の長手方向の一端と、この一端とは反対側の他端は、第１の領域５８及び第２の領域５９と接続されていない。
【０１２６】
また、第２の固定部材５３は、第１の支持部６３を有する。
ここで、第１の支持部６３は、中央領域５７から第１の領域５８の第１の方向と同じ方向に対して略直交する方向へ突出している。
【０１２７】
また、第２の固定部材５３は、第２の支持部６４を有する。
ここで、第２の支持部６４は、中央領域５７から第２の領域５９の第２の方向と同じ方向に対して略直交する方向へ突出している。
【０１２８】
すなわち、中央領域５７の長手方向の一端から第１の支持部６３と第２の支持部６４が突出しているが、第１の支持部６３の突出方向と第２の支持部６４の突出方向は互いに正反対の方向である。
【０１２９】
また、第２の固定部材５３は、第３の支持部６５を有する。
ここで、第３の支持部６５は、中央領域５７から第１の領域５８の第１の方向と同じ方向に対して略直交する方向へ突出している。
【０１３０】
また、第２の固定部材５３は、第４の支持部６６を有する。
ここで、第４の支持部６６は、中央領域５７から第２の領域５９の第２の方向と同じ方向に対して略直交する方向へ突出している。
【０１３１】
すなわち、中央領域５７の長手方向の一端とは反対側の他端から第３の支持部６５と第４の支持部６６が突出しているが、第３の支持部６５の突出方向と第４の支持部６６の突出方向は互いに正反対の方向である。
【０１３２】
また、図７に示すように、第１の支持部６３及び第２の支持部６４はそれぞれ一部に段差を含んでいる。
また、図７に示すように、第１の支持部６３の段差と第２の支持部６４の段差は互いに対向している。
また、図６に示すように、第３の支持部６５は一部に段差を含んでおり、図示していないが、第４の支持部６６も一部に段差を含んでいる。
また、図示していないが、第３の支持部６５の段差と第４の支持部６６の段差は互いに対向している。
【０１３３】
また、図７に示すように、第１の支持部６３の段差と第２の支持部６４の段差はそれぞれ、中央領域５７に対して、第１の段差６２Ａ及び第２の段差６２Ｂと同じ側に位置しているが、段差の高さが異なる。
【０１３４】
すなわち、第１の支持部６３を第１の領域５８の第１の方向と同じ方向へ延長した平面の位置の方が、第１の領域５８の第１の爪部６０が突出した面の位置よりも、中央領域５７を第１の領域５８の第１の方向と同じ方向に対して略直交する方向へ延長した平面に近い。
【０１３５】
また、第２の支持部６４を第２の領域５９の第２の方向と同じ方向へ延長した平面の位置の方が、第２の領域５９の第２の爪部６１が突出した面の位置よりも、中央領域５７を第２の領域５９の第２の方向と同じ方向に対して略直交する方向へ延長した平面に近い。
【０１３６】
ここで、延長した平面は仮想の平面である。
【０１３７】
また、このような位置関係は、第１の支持部６３を第１の領域５８の第１の方向と同じ方向へ延長した平面と、第１の領域５８の第１の爪部６０が突出した面が互いに交わらない平行関係であるから、第１の支持部６３を第１の領域５８の第１の方向と同じ方向へ延長した平面と第１の領域５８の第１の爪部６０が突出した面との間には、段差を利用して形成された空間が存在する。
【０１３８】
また、同じように、第２の支持部６４を第２の領域５９の第２の方向と同じ方向へ延長した平面と、第２の領域５９の第２の爪部６１が突出した面は互いに交わらない平行関係にあるから、第２の支持部６４を第２の領域５９の第２の方向と同じ方向へ延長した平面と、第２の領域５９の第２の爪部６１が突出した面との間にも、段差を利用して形成された空間が存在する。
【０１３９】
従って、この空間に第１の片部５４及び第２の片部５５を挿通して、第１の支持部６３及び第２の支持部６４が第１の片部５４及び第２の片部５５を支持することができる。
【０１４０】
また、第３の支持部６５の段差と第４の支持部６６の段差はそれぞれ、中央領域５７に対して、第１の段差１１Ａ及び第２の段差１１Ｂと同じ側に位置しているが、段差の高さが異なる。
【０１４１】
すなわち、第３の支持部６５を第１の領域５８の第１の方向と同じ方向へ延長した平面の位置の方が、第１の領域５８の第１の爪部６０が突出した面の位置よりも、中央領域５７を第１の領域５８の第１の方向と同じ方向に対して略直交する方向へ延長した平面に近い。
【０１４２】
また、第４の支持部６６を第２の領域５９の第２の方向と同じ方向へ延長した平面の位置の方が、第２の領域５９の第２の爪部６１が突出した面の位置よりも、中央領域５７を第２の領域５９の第２の方向と同じ方向に対して略直交する方向へ延長した平面に近い。
【０１４３】
ここで、延長した平面は仮想の平面である。
すなわち、第１の支持部６３と同様に、第３の支持部６５を第１の領域５８の第１の方向と同じ方向へ延長した平面と第１の領域５８の第１の爪部６０が突出した面との間には、段差を利用して形成された空間が存在する。
また、第２の支持部６４と同様に、第４の支持部６６を第２の領域５９の第２の方向と同じ方向へ延長した平面と第２の領域５９の第２の爪部６１が突出した面との間には、段差を利用して形成された空間が存在する。
【０１４４】
従って、第１の支持部６３及び第２の支持部６４によって支持された第１の片部５４及び第２の片部５５を、さらにこの空間に挿通して、第３の支持部６５及び第４の支持部６６も第１の片部５４及び第２の片部５５を支持することができる。
【０１４５】
また、第１の壁部５８Ａと第１の段差６２Ａとの間の距離は、第１の片部５４の短手方向の長さより僅かに長い値であり、また、第２の壁部５９Ａと第２の段差６２Ｂとの間の距離は、第２の片部５５の短手方向の長さより僅かに長い値である。
【０１４６】
従って、第１の壁部５８Ａと第１の段差６２Ａ、並びに第２の壁部５９Ａと第２の段差６２Ｂがガイド機能を発揮して、それぞれ第１の片部５４及び第２の片部５５を導くことができる。
【０１４７】
その結果、第１の支持部６３または第３の支持部６５を第１の領域５８の第１の方向と同じ方向へ延長した平面と第１の領域５８の第１の爪部６０が突出した面との間に形成された空間、並びに第２の支持部６４または第４の支持部６６を第２の領域５９の第２の方向と同じ方向へ延長した平面と第２の領域５９の第２の爪部６１が突出した面との間に形成された空間それぞれに、第１の片部５４及び第２の片部５５を挿通し易い。
【０１４８】
また、図６に示すように中央領域５７には、中央領域５７の一方の面と、この一方の面の反対側の面である他方の面との間を貫通した取付孔６７が形成されている。
【０１４９】
また、第１の固定部材５２は、延出部６８を有し、延出部６８には引掛孔６９が形成されている。
ここで、延出部６８及び引掛孔６９は、図１に示す第１の固定部材２の延出部１６及び引掛孔１６Ａと同じであるから、延出部６８及び引掛孔６９の詳細な説明を省略する。
【０１５０】
ここで、図６に示す本発明の建材固定金具において、第２の固定部材は必ずしも４つの支持部を有していなくてもよく、第１の支持部と第２の支持部のみを有する構成とすることもできる。
しかし、第２の固定部材が４つの支持部を有していれば、２つの支持部を有する場合よりも安定して第１の片部と第２の片部を支持することができるので好ましい。
【０１５１】
また、第１の支持部、第２の支持部、第３の支持部及び第４の支持部は、必ずしも一部に段差を含んでいなくてもよい。
この場合、第１の支持部、第２の支持部、第３の支持部及び第４の支持部それぞれを延長した平面は、中央領域を延長した平面と同一平面内に位置する。
【０１５２】
また、第１の支持部６３、第２の支持部６４、第３の支持部６５及び第４の支持部６６は、一枚の例えば金属板の一部を打ち抜いて形成されている。
【０１５３】
また、金属板の一部を打ち抜いて第１の支持部６３、第２の支持部６４、第３の支持部６５及び第４の支持部６６を形成し、金属板の残った領域が、中央領域５７、第１の領域５８及び第２の領域５９に相当する領域となる。
【０１５４】
すなわち、第１の支持部６３と第３の支持部６５との間に位置する金属板の領域を断面略Ｕ字形に立ち上げるなどして、第１の領域５８と第１の壁部５８Ａと第１の段差６２Ａを形成し、また、第２の支持部６４と第４の支持部６６との間に位置する金属板の領域を断面略Ｕ字形に立ち上げるなどして、第２の領域５９と第２の壁部５９Ａと第２の段差６２Ｂを形成する。
【０１５５】
また、図６に示す本発明の建材固定金具５１も、図１に示す本発明の建材固定金具１と同様の第１の固定部材５２と、第２の固定部材５３とを備えているので、図１に示す本発明の建材固定金具１と同様に、一方の外壁材を他方の外壁材に押し付けて、一方の外壁材を強固に固定することができる。
【０１５６】
以上のように、本発明の建材固定金具は、第１の片部と第２の片部を有する第１の固定部材と、第１の爪部すなわち第１の係合部と第２の爪部すなわち第２の係合部を有する第２の固定部材とを備えているので、第１の固定部材が一方向への移動を規制されながら、第２の固定部材に対する第１の固定部材の位置を固定することができる。
【０１５７】
また、本発明の建材固定金具は、第１の支持部と第２の支持部を有する第２の固定部材を備えているので、第１の支持部と第１の領域の第１の係合部が突出した面との間及び第２の支持部と第２の領域の第２の係合部が突出した面との間それぞれに段差を利用して形成された空間に、第１の片部及び第２の片部を挿通して支持することができる。
【０１５８】
また、段差を利用して第１の支持部及び第２の支持部は、第１の片部及び第２の片部が挿通される空間を形成し、そして挿通された第１の片部及び第２の片部を支持するので、第１の片部及び第２の片部を挿通するための空間を形成するためにわざわざ別の部材を接合する必要がない。
【０１５９】
また、第１の支持部及び第２の支持部は段差を利用して空間を形成するものなので、第１の支持部は第１の領域の一部を打ち抜くことで形成されることが可能であり、また、第２の支持部は第２の領域の一部を打ち抜くことで形成されることが可能である。
【０１６０】
また、第２の固定部材が第１〜４の支持部を有する場合でも、段差を利用して空間が形成されるので、第１〜４の支持部は一枚の例えば金属板の一部を打ち抜くことで形成されることが可能である。
【０１６１】
よって、本発明の建材固定金具は、簡単な加工で製造されることが可能である。
【０１６２】
また、本発明の建材固定金具は、突出部を有する第１の固定部材を備えているので、外壁材などの建材を押圧して建材を固定することができる。
【０１６３】
従って、本発明の建材固定金具は、簡単な加工で製造できる簡素な構造でありながら、ビスや釘などを使用することなく、建材を押圧して強固に取付けることができ、建材の表面からビスや釘などを使用しないので外観を損なうこともない。
【符号の説明】
【０１６４】
１    建材固定金具
２    第１の固定部材
３    第２の固定部材
４    第１の片部
４Ａ  第１の凹凸部
５    第２の片部
５Ａ  第２の凹凸部
６    突出部
７    第１の領域
７Ａ  第１の壁部
８    第２の領域
８Ａ  第２の壁部
９    第１の爪部
９Ａ  第１のスリット
１０    第２の爪部
１０Ａ  第２のスリット
１１Ａ  第１の段差
１１Ｂ  第２の段差
１２    中央領域
１３    第１の支持部
１３Ａ  第１の貫通孔
１４    第２の支持部
１４Ａ  第２の貫通孔
１５    取付孔
１６    延出部
１６Ａ  引掛孔
２１    第１の爪部線分
２２    第２の爪部線分
２３    第１の凹凸部線分
２４    第２の凹凸部線分
２９    切欠き
３０    取付金具
３０Ａ  本体
３０Ｂ  突起
３１Ａ  第１の外壁材
３１Ｂ  第２の外壁材
３２    窓枠
３３    胴縁
３４    壁面
３５    ビス
３６    溝部
３７    取付釘
３８    屋根
３９    鼻隠し材
４０    軒天材
４１Ａ  第１の外壁材
４１Ｂ  第２の外壁材
４２    溝部
４３    切欠き
５１    建材固定金具
５２    第１の固定部材
５３    第２の固定部材
５４    第１の片部
５４Ａ  第１の凹凸部
５５    第２の片部
５５Ａ  第２の凹凸部
５６    突出部
５７    中央領域
５８    第１の領域
５８Ａ  第１の壁部
５９    第２の領域
５９Ａ  第２の壁部
６０    第１の爪部
６０Ａ  第１のスリット
６１    第２の爪部
６１Ａ  第２のスリット
６２Ａ  第１の段差
６２Ｂ  第２の段差
６３    第１の支持部
６４    第２の支持部
６５    第３の支持部
６６    第４の支持部
６７    取付孔
６８    延出部
６９    引掛孔
７１    第１の爪部線分
７２    第２の爪部線分
【図１】
2019199796.tif 000003
【図２】
2019199796.tif 000004
【図３】
2019199796.tif 000005
【図４】
2019199796.tif 000006
【図５】
2019199796.tif 000007
【図６】
2019199796.tif 000008
【図７】
2019199796.tif 000009
【図８】
2019199796.tif 000010
【図９】
2019199796.tif 000011